(57)【要約】      （修正有）【課題】高さ調整のレバー操作を乱暴に行っても、座部が脚部から離れてしまうことがなく、しかも、座部を脚部へ簡便に着脱できる遊技場用椅子を提供する。【解決手段】この椅子は、ガススプリング３ａからなる脚部３の昇降ロッド３ｃの先端側にテーパー部３ｆを形成して、その外周面に突起９を設けている。そして、座部１に固設した座支持体５に昇降ロッド３ｃの上端の押し釦４を押圧するための押材を固設した操作レバー６を設けるとともに、昇降ロッド３ｃの上端側に嵌着される嵌着穴を形成した合成樹脂製のスライダ７を前後方向へ摺動可能に設けている。スライダ７には嵌着穴に突起９が係合する縦溝が設けられるとともに、昇降ロッド３ｃが嵌着したときにおける突起９の下側の位置に水平方向のスリットを設け、スリットに挿嵌する係止材を回動可能に、バネでスリット側へ付勢させて設けている。【選択図】図１
0003166454.tif 000002
【実用新案登録請求の範囲】
【請求項１】
ガススプリングからなる脚部の昇降ロッドの先端側にテーパー部を形成してその外周面に突起を設け、座部に固設した座支持体に、該昇降ロッドの上端に設けられた押し釦を押圧するための押材を固設した操作レバーを設けるとともに該昇降ロッドの上端側に嵌着されるテーパ状の嵌着穴を形成した合成樹脂製のスライダを前後方向へ摺動可能に設け、該スライダには嵌着穴の内面に該突起が係合する縦溝と、該突起が係合したときに突起の下側となる位置に水平方向のスリットとを設け、該スリットに挿嵌する係止材を設けたことを特徴とする遊技場用椅子。
【請求項２】
前記スライダの嵌着穴は、下端付近に一部縦溝の底の径に拡大された段部が形成され、前記スリットは該段部の下方に形成され、前記係止材は水平方向に回動可能に支持されるとともに、一端がスリットに挿嵌された状態に付勢するバネを備えたことを特徴とする請求項１記載の遊技場用椅子。
【考案の詳細な説明】
【技術分野】
【０００１】
本考案はガススプリングを備えて座部の高さを調整できるようにした遊技場用椅子に関するものである。
【背景技術】
【０００２】
パチンコ遊技場では、椅子の後側の通路が確保されるように、ガススプリングを備えた脚部に座部を前後へスライド可能に支持し、着座していないときには座部を最も高い位置で最も前へ格納されるようにした椅子が広く使用されている。
この種の椅子では、脚部の上端は座部を前後方向へスライド可能に支持するための部品（以下、スライダと称する）を介して座部に取付けられているが、スライダは複雑な形状で高価なものとならざるを得なかった。そこで、出願人は、スライダを合成樹脂で一体成形とした実用的な遊技場用椅子を開発した（特許文献１参照）。
【０００３】
特許文献１の遊技場用椅子は、ガススプリングからなる脚部の上部をテーパ状に形成してその外周面に突起を設けている。スライダは合成樹脂で一体成形したものであり、該脚部のテーパー部が嵌着するテーパ状の嵌着穴と、その内面に該突起と係合する係合溝とが形成されている。また、両側縁部には一対の軸受孔が平行に形成されており、座部の下面に固設した機枠に架設された２本のスライド軸に貫挿して取付けられている。そして、該機枠には脚部の上端面に突設された押し釦を押圧するための押え板を備えた操作レバーが設けられている。
【先行技術文献】
【特許文献】
【０００４】
【特許文献１】登録実用新案第３０５８８８９号公報
【考案の概要】
【考案が解決しようとする課題】
【０００５】
特許文献１の遊技場用椅子は、脚部の上部と座部とをテーパ嵌着によって連結しているので、嵌着穴の成形の精度が多少悪くても、遊技者の体重で連結部が圧着され、隙間が出来てガタ付くようなことがなく、強度および耐久性も十分である。また、突起を嵌着穴の係合溝に係合させるので、座部が常に前方を向くように組付けることができる。
【０００６】
ところで、この椅子の座部の高さ調整は、操作レバーで脚部の上端の押し釦を押圧することによっており、上下方向に突き上げるように作用するので、強く操作すると連結部がテーパーであっても、希に連結が離れ座部が脚部から飛び上がることがある。極端な場合には座部が脚部から抜けてしまうことも考えられる。
この対策として、座部の組付け時に連結部に接着剤を使用することが考えられるが、接着剤の塗布という作業が余分に必要となるばかりでなく、配置換えなどで、座部を取り外す場合には、容易ではなく多くの時間を必要とする。
【０００７】
そこで、本考案は、高さ調整のレバー操作を乱暴に行っても座部が脚部から離れてしまうことがなく、しかも、座部を脚部へ簡便に着脱できる遊技場用椅子を提供することを目的としている。
【課題を解決するための手段】
【０００８】
上記の目的を解決するため、本考案の遊技場用椅子は次のように構成した。すなわち、ガススプリングからなる脚部の昇降ロッドの先端側にテーパー部を形成してその外周面に突起を設け、座部に固設した座支持体に、該昇降ロッドの上端に設けられた押し釦を押圧するための押材を固設した操作レバーを設けるとともに該昇降ロッドの上端側に嵌着されるテーパ状の嵌着穴を形成した合成樹脂製のスライダを前後方向へ摺動可能に設け、該スライダには嵌着穴の内面に該突起が係合する縦溝と、該突起が係合したときに突起の下側となる位置に水平方向のスリットとを設け、該スリットに挿嵌する係止材を設けたことを特徴としている。
【０００９】
この遊技場用椅子は、着座していない状態においては、座部が前方（遊技台の方向）を向いて最も高い位置でしかも最前部に位置するように構成されている。脚部は、ガススプリングを使用し、その上部の昇降ロッドは回動自在にシリンダに挿嵌されており、座部を自由に回動させることができる。そして、遊技者が離席したときは、座部が正面を向くように回動し、上昇して最も高い位置に自動復帰する。
【００１０】
座部と脚部の連結部、すなわち、スライダの嵌着穴と昇降ロッドの上部はテーパーとする。そして、テーパー部に突起を設けるとともに嵌着穴に縦溝を設ける。この突起はテーパー面から突出し、嵌着穴の縦溝に係合できるようにしたものであれば、形状および材質は問わないが、頭付きの小ネジを水平方向にねじ込んだものとするのが簡便である。
そして、突起が嵌着穴に嵌着した状態で突起の下側となる位置に水平方向のスリットを設け、外側からスリットに挿嵌する係止材を設ける。
【００１１】
係止材は、スリットに抜き差しできる板状のものでもよいが、座部を組付ける際に係止材を挿嵌するという作業を必要とし、失念する可能性がある。そこで、請求項２に記載のように、スライダの嵌着穴の下端付近に一部縦溝の底の径に拡大された段部を形成するとともにスリットを段部の下方に形成し、係止材をスライダに水平方向に回動可能に設けて一端をスリットに挿嵌し、バネで付勢してこの状態を保持するようにするとよい。
なお、スライダは座部底面に固設した座支持体に前後方向に摺動可能に取付けられるが、この構成については従来使用されていたものでよく、特に限定しない。
【考案の効果】
【００１２】
本考案の遊技場用椅子は、昇降ロッドの上端側を嵌着し得るテーパ状の嵌着穴を形成した合成樹脂製のスライダを前後方向へ摺動可能に設け、該嵌着穴の内面に該突起が係合する縦溝を設けるとともに該突起が係合したときに突起の下側となる位置に水平方向のスリットを設け、該スリットに挿嵌する係止材を設けたので、操作レバーによる高さ調整を乱暴に行っても座部が脚部から抜けてしまうことがなく、安全性が確保される。
【００１３】
また、請求項２に記載のように、スライダの嵌着穴は、下端付近を一部縦溝の底の径に拡大して段部を形成し、該段部の下方にスリットを形成し、係止材は一端を回動可能に支持し先端部をスリットに挿嵌された状態にバネで付勢させたものとすれば、座部の脚部への取付作業が簡便にでき、係止材をスリットへの挿通忘れといったことも防止される。
【図面の簡単な説明】
【００１４】
【図１】本考案の遊技場用椅子の実施の形態を示す全体側面図である。
【図２】同、各部品の分解斜視図である。
【図３】同、脚部３の詳細図である。
【図４】同、図１のＡ−Ａ視図である。
【図５】同、座支持体５を裏面からみた図である。
【図６】同、スライダ７を下方から見た斜視図である。
【図７】同、スライダ７を脚部３に組付けたときの状態を示す図で、（ａ）は側面図、（ｂ）は下から見た図である。
【図８】同、脚部３にスライダ７を取付けるときの状態を示す図である。
【図９】同、別の実施の形態を示すもので、（ａ）は側面図、（ｂ）は下から見た図である。
【考案を実施するための形態】
【００１５】
本考案の遊技場用椅子の高さ調整装置の実施の形態を図面に基づいて説明する。
図１は、遊技場用椅子の全体を示す側面図であり、１は、座部、２は背もたれ、３は脚部である。
図２は、図１の遊技場用椅子の分解斜視図であり、背もたれ２が固設された座部１には、取付座１ａを介して座支持体５が固設されており、これに前後方向に摺動可能にスライダ７が取付けられている。そして、スライダ７に設けられている嵌着穴７ａに、脚部３の先端部が嵌着されている。
【００１６】
脚部３は、図３に示すように、脚取付筒３ｄにガススプリング３ａが取付けられたものであり、ガススプリング３ａは、昇降ロッド３ｃがシリンダ３ｂに回動自在で上下に伸縮するように構成された従来から使用されているものを用いている。
なお、昇降ロッド３ｃはシリンダ３ｂに対して自由に回動可能であるが、着座していないときは、最大昇降した位置で、昇降ロッド３ｃも所定の位置に回動復帰するように構成されている。また、３ｅは、脚カバーである。
【００１７】
この脚部３は、ガススプリング３ａ内の開閉弁を操作することによって、昇降ロッド３ｃを昇降するように構成されており、昇降ロッド３ｃの上端には該開閉弁を作動させるための押し釦４が設けられている。
昇降ロッド３ｃの上端側はテーパー３ｆが形成されており、その外周面に突起９が設けられている。なお、この突起９は、ここでは、小ネジ（頭径７ｍｍ）をねじ込む構成としている。
【００１８】
座支持体５は、図２および図５（下から見た図）に示すように、矩形の板材の４片を下方へ折り曲げた形状の矩形枠５ａに、長手方向の左右に円柱状の案内材５ｂが平行に固設されている。そして、中央部には押材６ａが固設された平面視Ｌ字状の操作レバー６が設けられている。
押材６ａが固設された軸部６ｂは、一端は矩形枠５ａに開口した軸孔５ｃに挿通し、他端は軸受５ｄで回動可能に支持されている。
このように構成されているので、レバー部６ｃを上下方向（図４では紙面に対して垂直方向）に回動させることによって、軸部６ｂを回動させ、押材６ａが紙面に対して手前側へ上下する。なお、５ｅはストッパである。
【００１９】
スライダ７は、図２、図４、図６、図７に示すように、ほぼ中央部に前記脚部３の上端側のテーパー部３ｆが嵌着するテーパー状の嵌着穴７ａが形成され、上部両側には、前記座支持体５の案内材５ｂと係合する摺動部７ｆが形成されている。そして、中央部左右に貫通穴７ｅが形成されており、ここに、コイルバネ８が挿通され、その前端は貫通穴７ｅの前端に係止させ、後端は座支持体５に係止させている。
このように構成されているので、遊技者は着座して後方へ体重をあずけることにより、コイルバネ８を引張させ、座部１を後方へ適宜移動させることができる。なお、離席時は、コイルバネ８により、座部１が最前の位置に格納される。
【００２０】
嵌着穴７ａの下端側は、下端から７ｍｍほど上の位置までは、前方側を穴径を大きくして楕円状として段部７ｃを形成し、前方中央部には前記脚部３の突起９が係合する縦溝７ｂが垂直方向に形成されている。そして、段部７ｃの近傍下方には、水平方向のスリット７ｄが形成されている。なお、段部は、縦溝を中心として円周の９０〜１２０度に形成すればよい。
【００２１】
スライダ７の嵌着穴７ａの下部側は、ある程度の肉厚を持ったボス部７ｈが形成されており、嵌着穴７ａの下端より１５ｍｍほど上に平坦部７ｇが形成されている。
この平坦部７ｇに棒状のバネ受け１３，１４が立設されており、バネ受け１３には係止材１１が回動可能に取付けられ、回動させることにより一端が前記スリット７ｄに挿通されるように配設されている。
そして、バネ受け１３にバネ１２が巻回され、一端は係止材１１に、他端をバネ受け１４に係止させている。このバネ１２によって、係止材１１がスリット７ｄへ挿嵌させるように付勢されている。
【００２２】
この遊技場用椅子は、突起９が前方に向くようにして脚部３を床に取付ける。これに、座支持体５およびスライダ７を組付けた座部１を、突起９が嵌着穴７ａの縦溝７ｂに嵌合させて取付ける。
図７は、脚部３にスライダ７が組付けられた状態を示すもので、脚部３の上端のテーパー部３ｆがスライダ７の嵌着穴７ａに嵌着し、突起９が縦溝７ｂに係合し、その下部のスリット７ｄに係止材１１が挿通されている。なお、図７（ａ）では、バネ受け１３，１４およびバネ１２は省略している。
【００２３】
スリット７ｄに挿通した係止材１１の先端は、突起９の根元付近まで達している。
この状態に於いては、座部１が持ち上がってスライダ７が昇降ロッド３ｃから離れようとしても、係止材１１が突起９の下端に係止するので、外れない。
【００２４】
次に、座部１を脚部３へ取付ける作業を、図８に基づいて説明する。
まず、床に取付けられた脚部３の上端側の昇降ロッド３ｃに対して、座部１を持って座部１が前方ではなく、スライダ７が２０〜５０度左右いずれかへ回動させた状態にして、下ろして嵌着穴７ａを係合させる。これにより、突起９がスライダ７の平坦部７ｃに当接する。
【００２５】
継いで、座部１をスライダ７の縦溝７ｂが前方を向くように回動させる。この操作により、係止材１１は、突起９に当接し、バネ受け１３を中心として回動しながら押しのけられる。そして、縦溝７ｂが前方に来ると、突起９がこれに係合してスライダ７が落下し、テーパー部３ｆが嵌着穴７ａに嵌着する。そして、係止材１１が突起９に係合しなくなるので、バネ１２で付勢されてスリット７ｄへ押込まれる。
座部１を脚部３から外す場合は、バネ１２の一端をバネ受け１４から外し、係止材１１を回動させてスリット７ｄから抜いて、座部１を持ち上げればよい。
【００２６】
次に、別の実施の形態について図９に基づいて説明する。
脚部３は、前記の実施の形態と同じであり、昇降ロッド３ｃのテーパー部３ｆに突起９が固設されている。
スライダ２０には、上記と同じ縦溝２０ｂとスリット２０ｃが設けられているが、嵌着穴２０ａの下端部には前記スライダ７の如き段部７ｃが形成されていない。
そして、平坦部２０ｄにガイド２２，２３が立設されており、係止材２１に設けた長孔２１ａを係合させている。係止材２１は、先端部２１ｂが凹ませてあり、ガイド２２，２３の先端部のネジにワッシャを介してナットで止められており、摺動させてスリット２０ｃへ挿嵌させることができる。
【００２７】
この実施の形態の場合は、まず、係止材２１をガイド２２，２３が長孔２１ａの後端に位置するように前方へ引き出しておく。
そして、座部１を前方に向けて持って、スライダ２０の縦溝２０ｂに脚部３のテーパー部３ｆの突起９が、嵌合するように下降させる。テーパー部３ｆが嵌着穴２０ａに嵌着したら、係止材２１を押込んで端部をスリット２０ｃに挿嵌すればよい。
なお、係止材２１の先端部２１ｂは凹ませてあり、挿嵌したとき突起９と係合する面積を大きくしている。また、平坦部２０ｄには係止材２１が簡単に摺動しないように凹凸を施してある。
座部１を脚部３から外す場合は、係止材２１を前方へ移動させてスリット２０ｃから抜けば、簡便に外すことができる。
【符号の説明】
【００２８】
１  座部
１ａ  取付座
２  背もたれ
３  脚部
３ａ  ガススプリング
３ｂ  シリンダ
３ｃ  昇降ロッド
３ｄ  脚取付筒
３ｅ  脚カバー
３ｆ  テーパー部
４  押し釦
５  座支持体
５ａ  矩形枠
５ｂ  案内材
５ｃ  軸孔
５ｄ  軸受
５ｅ  ストッパ
６  操作レバー
６ａ  押材
６ｂ  軸部
６ｃ  レバー部
７  摺動体
７ａ  嵌着穴
７ｂ  縦溝
７ｃ  段部
７ｄ  スリット
７ｅ  貫通穴
７ｆ  摺動部
７ｇ  平坦部
７ｈ  ボス部
８  コイルバネ
９  突起
１１  係止材
１２  バネ
１３  バネ受
１４  バネ受
２０  スライダ
２０ａ  嵌着穴
２０ｂ  縦溝
２０ｃ  スリット
２０ｄ  平坦部
２１  係止材
２１ａ  長孔
２１ｂ  先端部
２２  ガイド
２３  ガイド
【図１】
0003166454.tif 000003
【図２】
0003166454.tif 000004
【図３】
0003166454.tif 000005
【図４】
0003166454.tif 000006
【図５】
0003166454.tif 000007
【図６】
0003166454.tif 000008
【図７】
0003166454.tif 000009
【図８】
0003166454.tif 000010
【図９】
0003166454.tif 000011